(57)【要約】【課題】画像形成装置及び空気清浄機を組み合わせることにより、画像形成装置及び空気清浄機の状態を遠くからでも容易に確認することが可能な画像形成システムを提供する。【解決手段】画像形成装置１００の状態を空気清浄機７１の表示部１３３に表示している。空気清浄機７１は、画像形成装置１００の本体に突設された支柱７２の上端に支持されて、高所に配置されている。従って、空気清浄機７１の表示部１３３も高所に配置されているといえる。この高所に配置された空気清浄機７１の表示部１３３は、遠くからでも視認することができるため、この表示部１３３の画面に表示された画像形成装置１００の状態を遠くから確認することができる。【選択図】図１
2011027930.tif 000002
【特許請求の範囲】
【請求項１】
記録用紙に画像を印刷する画像形成装置と、
前記画像形成装置に支持部材を介して一体的に取り付けられて、この支持部材により前記画像形成装置の上方に支持された空気清浄機と、
前記画像形成装置の状態を前記空気清浄機の表示部に表示させる制御手段とを備えることを特徴とする画像形成システム。
【請求項２】
請求項１に記載の画像形成システムであって、
前記空気清浄機の表示部は、複数の発光素子を選択的に点灯もしくは点滅させることにより前記画像形成装置の状態を表示することを特徴とする画像形成システム。
【請求項３】
請求項１又は２に記載の画像形成システムであって、
前記制御手段は、前記空気清浄機の状態をも前記空気清浄機の表示部に表示させることを特徴とする画像形成システム。
【請求項４】
請求項１乃至３のいずれか１つに記載の画像形成システムであって、
前記空気清浄機は、イオン発生手段を備えることを特徴とする画像形成システム。
【請求項５】
請求項１乃至４のうちのいずれか１つに記載の画像形成システムであって、
前記制御手段は、前記画像形成装置の状態として該画像形成装置で発生したトラブルを前記空気清浄機の表示部に表示させることを特徴とする画像形成システム。
【請求項６】
請求項１乃至５のうちのいずれか１つに記載の画像形成システムであって、
前記画像形成装置は、複数種の機能を有し、
前記制御手段は、前記各機能のうちのいずれかが前記画像形成装置で実行されているときに、前記画像形成装置の状態として前記実行されている機能を前記空気清浄機の表示部に表示させることを特徴とする画像形成システム。
【発明の詳細な説明】
【技術分野】
【０００１】
本発明は、複写機、プリンタ、ファクシミリ装置等の画像形成装置及び空気清浄機を備える画像形成システムに関する。
【背景技術】
【０００２】
この種の画像形成装置としては、電子写真方式のものがある。この方式の装置では、静電潜像を感光体ドラム表面に形成し、トナーにより感光体ドラム表面の静電潜像を現像して、感光体ドラム表面にトナー像を形成し、トナー像を感光体ドラムから記録用紙に転写し、記録用紙を加熱及び加圧して、トナー像を記録用紙上に定着させている。
【０００３】
このような画像形成装置は、必須のＯＡ機器であって、殆どのオフィスに設置され、更には家庭や病院にも普及しつつある。
【０００４】
一方、オフィス、家庭、病院等においては、室内の空気を浄化する空気清浄機が設置されることが多くなっている。
【０００５】
例えば、特許文献１には、正イオン及び負イオンを同時に発生して、正イオン及び負イオンにより空気中の浮遊細菌を効果的に除去するというイオン発生装置が開示されている。
【先行技術文献】
【特許文献】
【０００６】
【特許文献１】特開２００２−５８７３１号公報
【発明の概要】
【発明が解決しようとする課題】
【０００７】
しかしながら、画像形成装置に加えて空気清浄機を設置したならば、これらを設置するための別々のスペースとコストが必要となり、これらを管理する利用者の手間が増えてしまう。
【０００８】
例えば、画像形成装置のトラブルがその表示画面に表示されたときには、このトラブルに対処する必要があり、また空気清浄機の動作がその表示画面に表示されるので、この表示内容を確認する必要があるが、これらの表示内容を個別に確認しに行くだけでも手間がかかる。
【０００９】
画像形成装置及び空気清浄機のいずれも、それらの表示内容を遠くから視認し難く、それぞれの設置箇所まで行かなれれば、これらの表示内容を見ることができない。
【００１０】
画像形成装置では、複数のキーや表示画面を設けた操作パネルを上向きに配置しているので、この操作パネルの表示画面の表示内容を遠くから視認することはできない。操作パネルを上向きに配置するのは、画像形成装置の前方に立つ利用者による操作パネルの各キーの操作や表示画面の視認を容易にするためである。
【００１１】
また、空気清浄機が小型であって床置きされ、かつオフィスではデスク、キャビネット、ＯＡ機器等が遮蔽物となって、見通しが悪いため、空気清浄機の表示画面を遠くから視認するのは困難である。
【００１２】
このように画像形成装置の表示画面及び空気清浄機の表示画面のいずれも遠くから視認することができないので、これらの状態を確認するだけでも手間がかかる。
【００１３】
そこで、本発明は、上記課題を解決するためになされたものであり、画像形成装置及び空気清浄機を組み合わせることにより、画像形成装置及び空気清浄機の状態を遠くからでも容易に確認することが可能な画像形成システムを提供することを目的とする。
【課題を解決するための手段】
【００１４】
上記課題を解決するために、本発明の画像形成システムは、記録用紙に画像を印刷する画像形成装置と、前記画像形成装置に支持部材を介して一体的に取り付けられて、この支持部材により前記画像形成装置の上方に支持された空気清浄機と、前記画像形成装置の状態を前記空気清浄機の表示部に表示させる制御手段とを備えている。
【００１５】
また、前記空気清浄機の表示部は、複数の発光素子を選択的に点灯もしくは点滅させることにより前記画像形成装置の状態を表示している。
【００１６】
更に、前記制御手段は、前記空気清浄機の状態をも前記空気清浄機の表示部に表示させている。
【００１７】
また、前記空気清浄機は、イオン発生手段を備えている。
【００１８】
更に、前記制御手段は、前記画像形成装置の状態として該画像形成装置で発生したトラブルを前記空気清浄機の表示部に表示させている。
【００１９】
また、前記画像形成装置は、複数種の機能を有し、前記制御手段は、前記各機能のうちのいずれかが前記画像形成装置で実行されているときに、前記画像形成装置の状態として前記実行されている機能を前記空気清浄機の表示部に表示させている。
【発明の効果】
【００２０】
本発明の画像形成システムでは、空気清浄機が支持部材により画像形成装置の上方に支持され、かつ制御手段により画像形成装置の状態が空気清浄機の表示部に表示される。従って、画像形成装置の上方に配置された空気清浄機の表示部に画像形成装置の状態が表示されることになる。すなわち、空気清浄機の表示部が高所に配置され、この表示部に画像形成装置の状態が表示される。この高所に配置された空気清浄機の表示部は、遠くからでも視認することができるため、画像形成装置の状態を遠くから確認することができる。
【００２１】
また、空気清浄機を画像形成装置の上方に配置したことから、空気清浄機の設置スペースを節減することができる。更に、空気清浄機から送風された空気を広範囲に対流させることが容易となり、空気の浄化作用を高めることができる。
【００２２】
例えば、空気清浄機の表示部は、複数の発光素子を選択的に点灯もしくは点滅させることにより画像形成装置の状態を表示する。このような発光素子の点灯もしくは点滅による表示は、遠くからでも視認し易い。また、複数の発光素子の選択的な点灯もしくは点滅により各種の情報を表示することができる。
【００２３】
また、空気清浄機の状態をも空気清浄機の表示部に表示させているので、画像形成装置の状態及び空気清浄機の状態を同時に報知することができ、これらの状態を同時に管理することが可能になり、利用者の手間が低減される。
【００２４】
また、空気清浄機は、イオン発生手段を備えている。このイオン発生手段としては、正イオン及び負イオンを同時に発生して放出するものが好ましい。このような正イオン及び負イオンは、空気中の浮遊細菌を効果的に除去したり、画像形成装置の排出ガスを分解低減することができ、本発明に好適である。例えば、電子写真方式の画像形成装置ではオゾンを生じることがあるが、正イオン及び負イオンによりオゾン等の排出ガスを分解低減することができる。
【００２５】
例えば、画像形成装置の状態として該画像形成装置で発生したトラブルが空気清浄機の表示部に表示される。詳しくは、画像形成装置の故障や紙詰まり等のトラブルが表示される。この場合は、遠くからでも、故障や紙詰まりを知ることができる。換言すれば、トラブルがより広い範囲に報知される。
【００２６】
あるいは、画像形成装置の状態として該画像形成装置で実行されている機能が空気清浄機の表示部に表示される。画像形成装置が複合機である場合は、その機能として複写機能、プリント機能、ファクシミリ機能等がある。これらの機能のうちの実行されている機能が空気清浄機の表示部に表示されることにより、画像形成装置の状態を遠くからでも確認することができる。
【図面の簡単な説明】
【００２７】
【図１】本発明の画像形成システムの一実施形態を概略的に示す断面図である。
【図２】図１の画像形成システムにおける空気清浄機を示す断面図である。
【図３】図２のイオン発生装置におけるプラズマクラスターイオン発生素子を例示する平面図である。
【図４】図１の画像形成システムにおける空気清浄機からのイオン放出方向を斜め下方に設定した状態を示す側面図である。
【図５】図１の画像形成システムにおける画像形成装置及び空気清浄機の構成を示すブロック図である。
【図６Ａ】（ａ）は空気清浄機の空気清浄動作を設定するための入力設定画面を示す平面図である。
【図６Ｂ】（ｂ）、（ｃ）は入力設定画面における各チェックボックス、各セレクトボックス、及び入力ボックスに対応する動作名称及び動作説明等を示す図表である。
【図７】空気清浄機における表示部の各ＬＥＤの配置例を示す平面図である。
【図８】図７の各ＬＥＤの点滅又は点灯に対応するそれぞれの報知情報を示す図表である。
【発明を実施するための形態】
【００２８】
以下、本発明の実施形態を添付図面を参照して詳細に説明する。
【００２９】
図１は、本発明の画像形成システムの一実施形態を概略的に示す図である。本実施形態の画像形成システムは、画像形成装置１００と、画像形成装置１００の上方に配設された空気清浄機７１とを備えている。
【００３０】
画像形成装置１００は、スキャナ機能、複写機能、プリンタ機能、及びファクシミリ機能等を有する所謂複合機であり、原稿読取り装置１０１により読取られた原稿の画像を外部に送信したり（スキャナ機能）、この読取られた原稿の画像又は外部から受信した画像をカラーもしくは単色で記録用紙に記録形成することができる（複写機能、プリンタ機能、ファクシミリ機能）。
【００３１】
この画像形成装置１００は、原稿の画像を読取るべく、原稿読取り装置１０１及び原稿搬送部４２を備えている。原稿読取り装置１０１は、原稿搬送部４２により搬送されている原稿画像を読取る。原稿搬送部４２では、原稿が原稿セットトレイ４１にセットされると、原稿ピックアップローラ４４が原稿表面に押し付けられて回転され、原稿が原稿セットトレイ４１から引き出され、原稿がサバキローラ４５と分離パッド４６間を通過して１枚ずつに分離されてから搬送経路４７へと搬送される。
【００３２】
この搬送経路４７では、原稿の先端が原稿レジストローラ４９に当接して、原稿の先端が原稿レジストローラ４９と平行に揃えられ、この後に原稿が原稿レジストローラ４９により搬送されて読取りガイド５１と読取りガラス５２間を通過する。更に、原稿は、搬送ローラ５７により搬送され、排紙ローラ５８を介して排紙トレイ５９に排出される。
【００３３】
原稿読取り装置１０１では、原稿が読取りガイド５１と読取りガラス５２間を通過するに際し、第１走査部５３の光源の光が読取りガラス５２を介して原稿表面に照射され、その反射光が読取りガラス５２を介して第１走査部５３に入射し、この反射光が第１及び第２走査部５３、５４のミラーで反射されて結像レンズ５５へと導かれ、結像レンズ５５によって原稿の画像がＣＣＤ（Charge Coupled Device）５６上に結像される。ＣＣＤ５６は、原稿の画像を読取り、原稿の画像を示す画像データを出力する。
【００３４】
また、原稿台ガラス６１上に載置された原稿を読取ることができる。原稿搬送部４２は、その奥一辺をヒンジ（図示せず）により下側の原稿読取り装置１０１の奥一辺に枢支され、その手前部分を上下させることにより開閉される。この原稿搬送部４２が開かれると、原稿台ガラス６１が解放されて、原稿台ガラス６１上に原稿を載置することができる。原稿が載置されて、原稿搬送部４２が閉じられると、第１及び第２走査部５３、５４が副走査方向に移動されつつ、第１走査部５３によって原稿台ガラス６１上の原稿表面が露光され、第１及び第２走査部５３、５４によって原稿表面からの反射光が結像レンズ５５へと導かれ、結像レンズ５５によって原稿の画像がＣＣＤ５６上に結像される。このとき、第１及び第２走査部５３、５４が相互に所定の速度関係を維持しつつ移動されて、原稿表面→第１及び第２走査部５３、５４→結像レンズ５５→ＣＣＤ５６という反射光の光路の長さが変化しないように第１及び第２走査部５３、５４の位置関係が常に維持され、これによりＣＣＤ５６上での原稿の画像のピントが常に正確に維持される。
【００３５】
こうして読取られた原稿の画像全体は、画像データとして画像形成装置１００のレーザ露光装置１へと送受され、画像形成装置１００において画像が記録用紙に印刷される。
【００３６】
また、画像形成装置１００は、画像を記録用紙に印刷するべく、レーザ露光装置１、現像装置２、感光体ドラム３、帯電器５、クリーナ装置４、中間転写ベルト装置８、定着装置１２、用紙搬送経路Ｓ、給紙トレイ１０、及び用紙排出トレイ１５等を備えている。
【００３７】
画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置２、感光体ドラム３、帯電器５、クリーナ装置４は各色に応じた４種類の潜像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００３８】
感光体ドラム３は、画像形成装置１００のほぼ中央に配置されている。
【００３９】
帯電器５は、感光体ドラム３の表面を所定の電位に均一に帯電させるための帯電手段であり、接触型であるローラ型やブラシ型の帯電器のほか、チャージャー型の帯電器が用いられる。
【００４０】
レーザ露光装置１は、レーザダイオード及び反射ミラーを備えたレーザスキャニングユニット（ＬＳＵ）であり、帯電された感光体ドラム３表面を画像データに応じて露光して、その表面に画像データに対応する静電潜像を形成する。
【００４１】
現像装置２は、感光体ドラム３上に形成された静電潜像を（Ｋ、Ｃ、Ｍ、Ｙ）のトナーにより現像する。クリーナ装置４は、現像及び画像転写後に感光体ドラム３表面に残留したトナーを除去及び回収する。
【００４２】
感光体ドラム３の上方に配置されている中間転写ベルト装置８は、中間転写ベルト７、中間転写ベルト駆動ローラ２１、従動ローラ２２、中間転写ローラ６、及び中間転写ベルトクリーニング装置９を備えている。
【００４３】
中間転写ベルト駆動ローラ２１、中間転写ローラ６、従動ローラ２２等は、中間転写ベルト７を張架して支持し、中間転写ベルト７を矢印Ｃ方向に周回移動させる。
【００４４】
中間転写ローラ６は、中間転写ベルト７近傍に回転可能に支持され、中間転写ベルト７を介して感光体ドラム３に圧接され、感光体ドラム３のトナー像を中間転写ベルト７に転写するための転写バイアスを印加されている。
【００４５】
中間転写ベルト７は、各感光体ドラム３に接触するように設けられており、各感光体ドラム３表面のトナー像を中間転写ベルト７に順次重ねて転写することによって、カラーのトナー像（各色のトナー像）を形成する。この転写ベルト７は、厚さ１００μｍ〜１５０μｍ程度のフィルムを用いて無端ベルト状に形成されている。
【００４６】
感光体ドラム３から中間転写ベルト７へのトナー像の転写は、中間転写ベルト７裏面に圧接されている中間転写ローラ６によって行われる。中間転写ローラ６には、トナー像を転写するために高電圧の転写バイアス（トナーの帯電極性（−）とは逆極性（＋）の高電圧）が印加されている。中間転写ローラ６は、直径８〜１０ｍｍの金属（例えばステンレス）軸をベースとし、その表面は、導電性の弾性材（例えばＥＰＤＭ、発泡ウレタン等）により覆われているローラである。この導電性の弾性材により、記録用紙に対して均一に高電圧を印加することができる。
【００４７】
上述の様に各感光体ドラム３表面のトナー像は、中間転写ベルト７で積層され、画像データによって示されるカラーのトナー像となる。このように積層された各色のトナー像は、中間転写ベルト７と共に搬送され、中間転写ベルト７と接触する２次転写装置１１の転写ローラ１１ａによって記録用紙上に転写される。
【００４８】
中間転写ベルト７と２次転写装置１１の転写ローラ１１ａとは相互に圧接されて、ニップ域を形成する。また、２次転写装置１１の転写ローラ１１ａには、中間転写ベルト７上の各色のトナー像を記録用紙に転写させるための電圧（トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等）としている。
【００４９】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として、中間転写ベルト７に接触して残留トナーを除去するクリーニングブレードが設けられており、クリーニングブレードが接触する部位で、従動ローラ２２により中間転写ベルト７裏側が支持されている。
【００５０】
給紙トレイ１０は、記録用紙を格納しておくためのトレイであり、画像形成装置１００の下部に設けられて、トレイ内の記録用紙を供給する。
【００５１】
画像形成装置１００には、給紙トレイ１０から供給された記録用紙を２次転写装置１１や定着装置１２を経由させて用紙排出トレイ１５に送るための、Ｓの字形状の用紙搬送経路Ｓが設けられている。この用紙搬送経路Ｓに沿って、用紙ピックアップローラ１６、用紙レジストローラ１４、定着装置１２、及び記録用紙を搬送する搬送ローラ等が配置されている。
【００５２】
用紙ピックアップローラ１６は、給紙トレイ１０の端部に設けられ、給紙トレイ１０から記録用紙を１枚ずつ用紙搬送経路Ｓに供給する呼び込みローラである。搬送ローラは、記録用紙の搬送を促進補助するための小型のローラであり、複数個設けられている。
【００５３】
用紙レジストローラ１４は、搬送されて来た記録用紙を一旦停止させて、記録用紙の先端を揃え、中間転写ベルト７と２次転写装置１１の転写ローラ１１ａ間のニップ域で中間転写ベルト７上のカラーのトナー像が記録用紙に転写されるように、感光体ドラム３及び中間転写ベルト７の回転にあわせて、記録用紙をタイミングよく搬送する。
【００５４】
例えば、用紙レジストローラ１４は、図示しないレジスト前検知スイッチの検出出力に基づき、中間転写ベルト７と２次転写装置１１の転写ローラ１１ａ間のニップ域で中間転写ベルト７上のカラーのトナー像の先端が記録用紙の画像形成領域の先端に合うように、記録用紙を搬送する。
【００５５】
定着装置１２は、加熱ローラ３１及び加圧ローラ３２等を備えている。加熱ローラ３１及び加圧ローラ３２は、中間転写ベルト７と２次転写装置１１の転写ローラ１１ａ間のニップ域を通過して来た記録用紙を挟み込んで搬送する。
【００５６】
加熱ローラ３１は、図示しない温度検出器の検出出力に基づき、所定の定着温度となるように制御されており、加圧ローラ３２とともに記録用紙を熱圧着することにより、記録用紙に転写されたトナー像を溶融、混合、圧接し、記録用紙に対して熱定着させる機能を有している。
【００５７】
各色のトナー像の定着後の記録用紙は、搬送ローラによって用紙排出トレイ１５上にフェイスダウンで排出される。
【００５８】
次に、空気清浄機７１を説明する。この空気清浄機７１は、画像形成装置１００の本体背面片側のコーナーに突設された支柱７２の上端に支持され、正イオン及び負イオンを発生して、この正イオン及び負イオンを空気と共に上方に放出する。
【００５９】
画像形成装置１００は、その背面側を室の壁に寄せて配置されることが多く、このために空気清浄機７１も室の壁に寄せて配置されることになる。この場合、空気清浄機７１から上方に放出された空気の殆どは、壁に沿って上昇して天井に吹き付けられ、天井に沿って広がり、室内に広く行き渡る。従って、空気清浄機７１から放出された空気に含まれる正イオン及び負イオンも室内に広く行き渡り、この正イオン及び負イオンにより室内の空気中の浮遊細菌が効果的に除去される。
【００６０】
また、空気清浄機７１から上方に放出された空気の一部は、そのまま下降して、画像形成装置１００近辺に漂い、画像形成装置１００の本体全体を覆う。そして、この空気に含まれる正イオン及び負イオンにより画像形成装置１００の排出ガスが分解低減される。
【００６１】
電子写真方式の画像形成装置１００ではオゾンを生じることがあり、これを低減するためのフィルター等を画像形成装置１００に内蔵させることがあるが、正イオン及び負イオンによりオゾンを分解低減することができるため、内蔵のフィルター等の省略が可能である。
【００６２】
空気清浄機７１を画像形成装置１００の上方に配置したことから、空気清浄機７１を設置するためだけの格別なスペースを必要とせず、このスペースを節減することができる。
【００６３】
また、空気清浄機７１を画像形成装置１００に突設された支柱７２の上端に支持していることから、画像形成装置１００と空気清浄機７１間が開放され、画像形成装置１００の使い勝手が損なわれることはない。
【００６４】
図２は、空気清浄機７１を示す断面図である。この空気清浄機７１は、本体筐体８１、本体筐体８１の下部に配置されたファンユニット８２、本体筐体８１の下側壁に形成された複数の吸入孔８１ａ、各吸入孔８１ａに重なるように配置されたフィルター８６、フィルター８６とファンユニット８２の吸入口８２ａとの間に配置された吸入ダクト８３、本体筐体８１の上部に形成された上部吹き出し口８１ｂ、上部吹き出し口８１ｂとファンユニット８２の吹き出し口８２ｂとの間に配置された吹き出しダクト８４、及びファンユニット８２の周囲に配置された複数のイオン発生素子８５を備えている。
【００６５】
図１に示すように空気清浄機７１が画像形成装置１００の幅方向に長いため、本体筐体８１、ファンユニット８２、各吸入孔８１ａ、吸入ダクト８３、放出口８２ｂ、及び放出ダクト８４等も画像形成装置１００の幅方向に長く、また複数のイオン発生素子８５を画像形成装置１００の幅方向に配列している。
【００６６】
ファンユニット８２のファン８２ｃは、モータ（図示せず）により回転駆動されて、矢印Ｇに示すような空気流を発生し、空気を各吸入孔８１ａ→フィルター８６→吸入ダクト８３という経路でファンユニット８２内へと吸入し、空気を各イオン発生素子８５近傍で流通させてから、空気を吹き出しダクト８４を通じて上部吹き出し口８１ｂから放出する。このとき、フィルター８６は、空気中の塵埃等を吸着して除去する。
【００６７】
各イオン発生素子８５は、プラズマクラスターイオン（登録商標）発生素子（ＰＣＩ）である。図２の矢印Ａ方向から各イオン発生素子８５を見ると、図３に示すように２個のイオン発生素子８５が画像形成装置１００の幅方向に配列され、イオン発生素子８５毎に、正イオンを発生する一対の正イオン発生部８５ａと、負イオンを発生する一対の負イオン発生部８５ｂとが配列されている。このようなイオン発生素子８５は、本願発明の出願人が先に出願した特開２００２−５８７３１号に詳しく開示されている。
【００６８】
このイオン発生素子８５により発生された正イオン及び負イオンは、ファンユニット８２のファン８２ｃにより発生された空気流と共に吹き出しダクト８４を通じて上部吹き出し口８１ｂから放出される。
【００６９】
ファン８２ｃのモータの回転速度を変更することにより、空気清浄機７１からの空気の放出量を調節することができる。空気の放出量を増大させた場合は、正イオン及び負イオンを含む空気がより広い範囲に行き渡って、より広い範囲の空気が浄化される。また、空気の放出量を低減させた場合は、正イオン及び負イオンを含む空気が画像形成装置１００近辺に漂い易くなり、画像形成装置１００の排出ガスがより効果的に分解低減される。
【００７０】
また、空気清浄機７１からの空気の放出方向を、上方ではなく、図４に示すように矢印Ｄの斜め下方に設定してもよい。あるいは、支柱７２の上端で空気清浄機７１の一端側の軸７１ａを回転可能に軸支し、この軸７１ａをモータ駆動により回転させて、空気清浄機７１を軸７１ａ周りで回転させ、空気清浄機７１からの空気の放出方向を変更するようにしても構わない。更に、空気清浄機７１を軸７１ａ周りの一定角度範囲で往復回転させ、つまり空気清浄機７１をスイング動作させ、正イオン及び負イオンの放出範囲を広げてもよい。
【００７１】
図５は、画像形成装置１００及び空気清浄機７１の構成を示すブロック図である。図５に示すように画像形成装置１００は、この画像形成装置１００全体の制御を司る制御部１１１、原稿搬送部４２、原稿読取り装置１０１、画像データ蓄積部１１２、画像処理部１１３、画像形成部１１４、ファクシミリ通信部１１５、各種の情報を表示する表示部１１６、利用者により操作される入力操作部１１７、各部を相互接続するバス１１８、入出力部１１９、主電源１２１、副電源１２２、及び電源キー１２３等を備えている。
【００７２】
制御部１１１は、ＣＰＵ（Central Processing Unit）、ＣＰＵにより実行される各種のプログラム等を記憶したＲＯＭ（Read Only Memory）、及びＣＰＵのワークエリアとして用いられるＲＡＭ（Random Access Memory）等からなり、ＣＰＵによりプログラムを実行し、データ処理を行って、画像形成装置１００全体を制御する。
【００７３】
また、制御部１１１は、入出力部１１９を通じて空気清浄機７１に接続され、この空気清浄機７１の動作を制御する。
【００７４】
原稿搬送部４２及び原稿読取り装置１０１は、図１にも示されており、原稿を搬送したり、原稿の画像を読取る。
【００７５】
画像データ蓄積部１１２は、ハードディスク装置等であり、原稿読取り装置１０１により読取られた原稿の画像や外部から受信した画像を示す画像データを蓄積する。画像処理部１１３は、画像データ蓄積部１１２に蓄積された画像データに各種の処理を施す。
【００７６】
画像形成部１１４は、図１に示すレーザ露光装置１、現像装置２、感光体ドラム３、帯電器５、クリーナ装置４、中間転写ベルト装置８、定着装置１２、用紙搬送経路Ｓ、給紙トレイ１０、及び用紙排出トレイ１５等からなり、原稿の画像を記録用紙に印刷する。
【００７７】
ファクシミリ通信部１１５は、ネットワークＮに接続され、ネットワークＮを通じて、相手側端末との間でファクシミリ通信のプロトコルを実行して画像データを送受する。
【００７８】
表示部１１６は、例えば液晶表示装置であり、画像形成装置１００の操作ガイダンス等を表示する。入力操作部１１７は、利用者により操作される各種のキーやボタン、あるいは表示部１１６の画面に重ねられたタッチパネルを備え、利用者により操作されたキーやボタンを検出したり、利用者により選択された表示部１１６の画面上のキー等をタッチパネルを通じて検出し、この利用者による入力指示を制御部１１１に出力する。
【００７９】
主電源１２１は、ファクシミリ通信部１１５を除く他の各部に電力を供給するものであり、制御部１１１、原稿搬送部４２、原稿読取り装置１０１、画像データ蓄積部１１２、画像処理部１１３、画像形成部１１４、表示部１１６、入力操作部１１７、及び入出力部１１９等に動作電力を供給する。また、副電源１２２は、ファクシミリ通信部１１５専用の電源であり、ファクシミリ通信部１１５だけに動作電力を供給する。
【００８０】
電源キー１２３は、利用者により操作されるキーであって、画像形成装置１００を夜間モードに設定したり、夜間モードから復帰させるために操作される。
【００８１】
一方、空気清浄機７１は、この空気清浄機７１全体の制御を司る制御部１３１、ファン８２ｃを回転させるモータ１３２、表示部１３３、入出力部１３４、イオン発生素子８５、電源１３５、及び電源スイッチ１３６等を備えている。
【００８２】
制御部１３１は、ＣＰＵ、ＣＰＵにより実行される各種のプログラム等を記憶したＲＯＭ、及びＣＰＵのワークエリアとして用いられるＲＡＭ等からなり、ＣＰＵによりプログラムを実行し、空気清浄機７１全体を制御する。
【００８３】
また、制御部１３１は、入出力部１３４を通じて画像形成装置１００に接続され、画像形成装置１００の制御部１１１からの指示に応答して、この空気清浄機７１の動作を制御する。
【００８４】
モータ１３２は、図２に示すファンユニット８２のファン８２ｃを回転駆動するためのものである。イオン発生素子８５は、図２及び図３に示すＰＣＩである。
【００８５】
表示部１３３は、例えば複数のＬＥＤからなり、これらのＬＥＤを選択的に点灯もしくは点滅させ、この選択的な点灯もしくは点滅により様々な情報を利用者に知らせる。
【００８６】
電源１３５は、制御部１３１、モータ１３２、表示部１３３、入出力部１３４、及びイオン発生素子８５等に動作電力を供給する。
【００８７】
電源スイッチ１３６は、利用者により操作されるスイッチであって、電源１３５からの電力供給をオンオフするために操作される。
【００８８】
ところで、画像形成装置１００では、入力操作部１１７の各キーや表示部１１６の画面を１つの操作パネルに設け、この操作パネルを上向きに配置している。これは、画像形成装置１００の前方に立つ利用者が操作パネルを見下ろして各キーを操作したり画面を視認し易くするためである。
【００８９】
しかしがら、操作パネルを上向きに配置したならば、表示部１１６の画面も上向きとなり、この画面を遠くから見ることができない。このため、画像形成装置１００の状態を表示部１１６に表示しても、この画像形成装置１００の状態を遠くから確認することができない。
【００９０】
そこで、本実施形態では、画像形成装置１００の状態を表示部１１６だけではなく空気清浄機７１の表示部１３３にも表示している。空気清浄機７１は、画像形成装置１００の本体に突設された支柱７２の上端に支持されて、高所に配置されている。従って、空気清浄機７１の表示部１３３も高所に配置されているといえる。この高所に配置された空気清浄機７１の表示部１３３は、遠くからでも視認することができるため、この表示部１３３の画面に表示された画像形成装置１００の状態を遠くから確認することができる。
【００９１】
また、空気清浄機７１の表示部１３３には、画像形成装置１００の状態だけではなく、空気清浄機７１の状態も表示されるため、利用者は、空気清浄機７１の表示部１３３の画面を見ることにより画像形成装置１００及び空気清浄機７１のいずれの状態をも把握することができ、両者の管理が容易になる。
【００９２】
更に、画像形成装置１００が節電のための夜間モードに設定されたときにも、画像形成装置１００の状態を空気清浄機７１の表示部１３３に表示させている。このため、夜間モードでは、画像形成装置１００の表示部１１６を停止させて、表示部１１６の消費電力を節減することができる。
【００９３】
ここで、画像形成装置１００では、定着装置１２のローラの定着温度を設定するためのウォームアップモードや印刷処理を行うための印刷処理モードが設定されるが、これらのモードでの消費電力が大きいために、印刷処理が行われていないときに消費電力を低減させるための待機モード、より消費電力を低減させるための省電力モード、更に消費電力を低減させるための夜間モード等も設定される。従って、これらの待機モード、省電力モード、及び夜間モードは、節電のためのモードである。
【００９４】
例えば、待機モードでは、定着装置１２のローラを加熱するヒータの電力が低減されて、定着温度が低下され、画像形成装置１００の消費電力が低減される。また、省電力モードでは、定着装置１２のローラを加熱するヒータの電力が更に低減され、画像データ蓄積部１１２、画像処理部１１３、画像形成部１１４、表示部１１６、及び入力操作部１１７等（印刷処理に係わる各部）が選択的に停止されて、画像形成装置１００の消費電力が更に低減される。夜間モードでは、定着装置１２がオフにされ、印刷処理に係わる各部の全てが停止され、ファクシミリ通信部１１５、入出力部１１９、及び制御部１１１の機能の一部だけが作動される。
【００９５】
夜間モードでは、夜間に人が居なくなって、画像生成装置１００の印刷処理が行われなくても、ファクシミリ通信の着信を受ける可能性があるために、ファクシミリ通信部１１５を作動させている。また、画像生成装置１００の印刷処理に係わる各部を起動して、ファクシミリ通信部１１５で受信された画像データによって示される画像を記録用紙に記録したり、あるいは制御部１１１により空気清浄機７１を制御するべく、入出力部１１９及び制御部１１１の機能の一部の動作を継続させている。
【００９６】
この夜間モードにおいて、ファクシミリ通信部１１５を作動させておくには、副電源１２２のオンを維持して、ファクシミリ通信部１１５に対する副電源１２２からの電力供給を継続する。また、入出力部１１９及び制御部１１１の機能の一部だけを作動させるには、画像生成装置１００の印刷処理に係わる各部に対する主電源１２１からの電力供給を停止させ、入出力部１１９及び制御部１１１に対して主電源１２１からの電力供給を継続する。
【００９７】
これらの待機モード、省電力モード、及び夜間モードのうちの特に夜間モードにおいては、ファクシミリ通信部１１５だけを作動させ、画像形成装置１００の表示部１１６を停止させて、表示部１１６の消費電力を低減させている。
【００９８】
従って、夜間モードでは、画像形成装置１００の状態を遠くから確認できるようにするためにだけではなく、画像形成装置１００の状態の表示を中断させないようにするためにも、画像形成装置１００の状態を空気清浄機７１の表示部１１６に表示させる必要がある。
【００９９】
次に、図６Ａ、図６Ｂを参照しつつ、そのような画像形成装置１００の状態を空気清浄機７１の表示部１３３に表示させるのに必要とされる入力設定について説明する。
【０１００】
この入力設定は、画像形成装置１００の状態を空気清浄機７１の表示部１３３に表示させるためにだけなされるのではなく、画像形成装置１００が夜間モードに移行したり夜間モードから復帰したときに、これに連動して空気清浄機７１の空気清浄動作を停止させたり再開させて、空気清浄機７１の操作の簡略化を図るためにもなされる。
【０１０１】
この入力設定は、画像形成装置１００の表示部１１６に入力設定画面を表示しつつ、入力操作部１１７のタッチパネルの操作により該入力設定画面に対する入力を行ってなされる。制御部１１１は、予め設定された手順に従って、表示部１１６に様々な入力設定画面を表示しつつ、入力操作部１１７のタッチパネルの操作により入力設定画面に対して入力がなされると、この入力内容を設定して記憶する。そして、画像形成装置１００及び空気清浄機７１の動作に際し、その入力内容が読み出されて実行される。
【０１０２】
また、図６Ａ、図６Ｂにおいては、画像形成装置１００の電源キー１２３のオンオフが示されているが、この電源キー１２３のオンオフにより主電源１２１及び副電源１２２が完全にオンオフにされることはない。電源キー１２３のオンは、夜間モードからウォームアップモードへの移行を指示し、又電源キー１２３のオフは、夜間モードの設定を指示するものである。従って、画像形成装置１００の電源キー１２３がオフにされると、夜間モードが設定され、画像生成装置１００の印刷処理に係わる各部が停止されるが、ファクシミリ通信部１１５、入出力部１１９、及び制御部１１１の機能の一部の動作が継続される。
【０１０３】
同様に、空気清浄機７１の動作のオンオフが示されているが、この動作のオンオフは、空気清浄機７１の空気清浄動作を行うか否かを指示するものである。この空気清浄機７１の動作がオフにされると、モータ１３２及びイオン発生素子８５が停止されるが、入出力部１３４、表示部１３３、及び制御部１３１の機能の一部の動作は継続される。
【０１０４】
さて、画像形成装置１００の表示部１１６には、様々な設定のうちのいずれかを選択するための初期設定画面（図示せず）が表示される。この初期設定画面で、入力操作部１１７のタッチパネルの操作により画像形成装置１００と空気清浄機７１の連動動作の設定が選択されると、表示部１１６には、図６Ａ（ａ）に示すような入力設定画面１７１が表示される。図６Ｂ（ｂ）、（ｃ）の図表には、図６Ａ（ａ）の入力設定画面１７１における各チェックボックス１７２、１７３、各セレクトボックス１７４、１７５、１７７、及び入力ボックス１７６に対応する動作名称及び動作説明等が示されている。
【０１０５】
図６Ａ（ａ）、図６Ｂ（ｂ）、（ｃ）から明らかなように入力設定画面１７１には、画像形成装置１００の電源キー１２３のオンに連動して空気清浄機７１の動作をオンにするためのチェックボックス１７２、空気清浄機７１の風量を「強」又は「弱」に設定するためのセレクトボックス１７４が表示されている。入力操作部１１７のタッチパネルの操作によりチェックボックス１７２にチェックマークが入れられ、セレクトボックス１７４で「強」又は「弱」の風量が選択されると、画像形成装置１００の電源キー１２３のオンに連動して空気清浄機７１の動作をオンにし、空気清浄機７１の風量を「強」又は「弱」にすることが設定される。
【０１０６】
また、入力設定画面１７１には、画像形成装置１００の電源キー１２３のオフに連動して空気清浄機７１の動作をオフにするためのチェックボックス１７３、電源キー１２３のオフに連動して空気清浄機７１の動作を直ちにオフにするか否かを設定するためのセレクトボックス１７５、電源キー１２３のオフから空気清浄機７１の動作オフまでに計時される任意の一定時間を入力するための入力ボックス１７６が表示されている。入力操作部１１７のタッチパネルの操作によりチェックボックス１７３にチェックマークが入れられ、セレクトボックス１７５で空気清浄機７１の動作を直ちにオフにするが選択されると、画像形成装置１００の電源キー１２３のオフに連動して、空気清浄機７１の動作を直ちにオフすることが設定される。また、チェックボックス１７３にチェックマークが入れられ、セレクトボックス１７５で空気清浄機７１の動作を直ちにオフにしないが選択され、入力操作部１１７のテンキーの操作により任意の一定時間が入力ボックス１７６に入力されると、画像形成装置１００の電源キー１２３のオフに連動してタイマーを起動し、タイマーによる一定時間の計時後に空気清浄機７１の動作をオフにすることが設定される。
【０１０７】
更に、空気清浄機７１の表示部１３３による表示パターンを選択するためのセレクトボックス１７７が表示されている。入力操作部１１７のタッチパネルの操作によりセレクトボックス１７７で第１、第２、及び第３表示パターンのいずれかが選択されると、この選択された表示パターンを表示部１３３で表示することが設定される。
【０１０８】
このようにして設定される画像形成装置１００と空気清浄機７１の連動動作、及び空気清浄機７１の表示部１３３による表示パターンを表１に整理して示す。画像形成装置１００の制御部１１１は、この表１におけるａ又はｂ項、ｃ又はｄ項、及びｅ項をデータテーブルとして記憶しておき、このデータテーブルを空気清浄機７１の制御に用いる。
【０１０９】
【表１】
2011027930.tif 000003
【０１１０】
次に、夜間モードが設定されたときの画像形成装置１００の制御部１１１による空気清浄機７１の制御手順を説明する。
【０１１１】
昼間では、画像形成装置１００の電源キー１２３がオンにされ、画像形成装置１００が印刷処理モード、待機モード、及び省電力モードのいずれかに設定されている。
【０１１２】
制御部１１１は、夜になって画像形成装置１００の電源キー１２３がオフにされるのを待機し、電源キー１２３がオフにされると、画像形成装置１００を夜間モードに設定する。画像生成装置１００の夜間モードでは、印刷処理に係わる各部に対する主電源１２１からの電力供給を停止させ、入出力部１１９及び制御部１１１に対する主電源１２１からの電力供給を継続し、かつ副電源１２２のオンを維持して、ファクシミリ通信部１１５に対する副電源１２２からの電力供給を継続する。
【０１１３】
このとき、制御部１１１は、表１におけるｃ又はｄ項に対応するデータテーブルの内容を参照して、「電源キーのオフに連動する」及び「電源キーのオフに連動しない」のいずれが設定されているかを確認し、ｄ項の「電源キーのオフに連動しない」が設定されていれば、空気清浄機７１の動作を継続させる。
【０１１４】
また、制御部１１１は、ｃ項の「電源キーのオフに連動する」が設定されていれば、ｃ項に対応するデータテーブルの内容を参照して、「タイマーオン」及び「タイマーオフ」のいずれが設定されているかを確認し、「タイマーオフ」が設定されていれば、空気清浄機７１の空気清浄動作を直ちに停止させる。空気清浄機７１の空気清浄動作の停止とは、モータ１３２及びイオン発生素子８５を停止させ、かつ入出力部１３４、表示部１３３、及び制御部１３１の機能の一部の動作を継続することである。
【０１１５】
また、制御部１１１は、「タイマーオン」が設定されていれば、ｃ項に対応するデータテーブルの内容を参照して、タイマーにより計時される一定時間を取得し、タイマーによる一定時間の計時を開始する。そして、タイマーにより一定時間の計時が終了すると、つまり画像形成装置１００の電源キー１２３のオフ時点から一定時間が経過すると、空気清浄機７１の空気清浄動作を停止させる。
【０１１６】
こうして夜になって電源キー１２３がオフにされると、画像形成装置１００が夜間モードに設定され、空気清浄機７１の空気清浄動作が継続又は停止される。この後、朝になって電源キー１２３がオンにされると、画像形成装置１００が夜間モードからウォームアップモードへと移行する。このとき、制御部１１１は、表１におけるａ又はｂ項に対応するデータテーブルの内容を参照して、「電源キーのオンに連動する」及び「電源キーのオンに連動しない」のいずれが設定されているかを確認する。例えば、ｂ項の「電源キーのオンに連動しない」が設定されていれば、制御部１１１は、画像形成装置１００の電源キー１２３のオンに応答して画像形成装置１００をウォームアップモードに設定するが、空気清浄機７１の空気清浄動作を再開させることはない。ただし、画像形成装置１００の夜間モードで空気清浄機７１の空気清浄動作が行われていたならば、この空気清浄動作を継続させる。
【０１１７】
また、ａ項の「電源キーのオンに連動する」が設定されていれば、制御部１１１は、画像形成装置１００の電源キー１２３のオンに応答して画像形成装置１００をウォームアップモードに設定すると共に、空気清浄機７１の空気清浄動作を再開させる。また、画像形成装置１００の夜間モードで空気清浄機７１の空気清浄動作が行われていたならば、この空気清浄動作を継続させる。
【０１１８】
更に、制御部１１１は、空気清浄機７１の空気清浄動作の再開に際し、ａ項に対応するデータテーブルの内容を参照して、空気清浄機７１の風量の設定を確認し、風量が「強」に設定されていれば、モータ１３２の回転速度を高くして、ファン８２ｃを高速回転駆動し、空気清浄機７１の風量を増大させる。また、風量が「弱」に設定されていれば、モータ１３２の回転速度を低くして、ファン８２ｃを低速回転駆動し、空気清浄機７１の風量を減少させる。
【０１１９】
このように画像形成装置１００の夜間モードの設定や、夜間モードからウォームアップモードへの移行に応じて空気清浄機７１の空気清浄動作を停止させたり再開しているので、空気清浄機７１を格別に操作する必要がなく、また空気清浄機７１の効果を全く損なわずに、空気清浄機７１の消費電力を低減することができる。
【０１２０】
尚、画像形成装置１００の電源キー１２３のオンオフに応答して、つまり利用者によるキー操作に応答して空気清浄機７１の空気清浄動作をオンオフにしているが、画像形成装置１００の予め設定されたタイムスケジュールに基づいて夜間モードが自動設定されたり、夜間モードからウォームアップモードへと移行する場合にも、上記手順で、空気清浄機７１を連動させることができる。
【０１２１】
次に、画像形成装置１００の状態を空気清浄機７１の表示部１３３に表示させるための制御手順を説明する。
【０１２２】
画像形成装置１００では、ウォームアップモード、印刷処理モード、待機モード、及び省電力モードが設定されているときに表示部１１６を作動させていても、夜間モードが設定されているときには表示部１１６を停止させて、消費電力の節減を図っている。
【０１２３】
また、画像形成装置１００では、夜間モードのときにファクシミリ通信部１１５、入出力部１１９、及び制御部１１１の機能の一部だけを作動させているが、ウォームアップモード、印刷処理モード、待機モード、及び省電力モードのときにも、少なくともファクシミリ通信部１１５、入出力部１１９、及び制御部１１１の機能の一部を作動させている。
【０１２４】
更に、空気清浄機７１では、夜間モードのときに空気清浄動作を停止しても、電源スイッチ１３６がオフにされない限り、入出力部１３４、表示部１３３、及び制御部１３１の機能の一部を作動させている。従って、常時、入出力部１３４、表示部１３３、及び制御部１３１の機能の一部を作動させているといえる。
【０１２５】
このため、画像形成装置１００の制御部１１１は、ウォームアップモード、印刷処理モード、待機モード、省電力モード、及び夜間モードのいずれのときにも、空気清浄機７１の制御部１３１との間でデータ通信を行うことができ、画像形成装置１００の状態を空気清浄機７１の制御部１３１に通知することができる。そして、空気清浄機７１の制御部１３１は、画像形成装置１００の状態を表示部１３３に表示することができる。
【０１２６】
図７は、表示部１３３の各ＬＥＤの配置例を示している。図７に示すように空気清浄機７１の本体の前面パネルに、表示部１３３である各ＬＥＤ１３３ａ、１３３ｂ、１３３ｃ及び各ＬＥＤ１３３-1、１３３-2、１３３-3が配置されている。ＬＥＤ１３３ａが緑の発光色を有し、ＬＥＤ１３３ｂが青の発光色を有し、ＬＥＤ１３３ｃが赤の発光色を有している。また、各ＬＥＤ１３３-1、１３３-2、１３３-3のいずれも白色の発光色を有している。空気清浄機７１の制御部１３１は、各ＬＥＤ１３３ａ〜１３３ｃ、１３３-1〜１３３-3を選択的に点滅又は点灯させ、これらのＬＥＤにより様々な情報を報知する。
【０１２７】
図８は、各ＬＥＤ１３３ａ〜１３３ｃ、１３３-1〜１３３-3の点滅又は点灯に対応するそれぞれの報知情報を示す図表である。画像形成装置１００の制御部１１１及び空気清浄機７１の制御部１３１は、図８の図表に対応するデータテーブルを記憶部に保有し、このデータテーブルを参照して、各ＬＥＤ１３３ａ〜１３３ｃ、１３３-1〜１３３-3を制御する。尚、画像形成装置１００の制御部１１１が画像形成装置１００の状態を報知するための５個のＬＥＤ１３３ａ、１３３ｃ、１３３-1〜１３３-3に関するデータテーブルの内容だけを保有し、空気清浄機７１の制御部１３１が空気清浄機７１の状態を報知するための１個のＬＥＤ１３３ｂに関するデータテーブルの内容だけを保有してもよい。あるいは、画像形成装置１００の制御部１１１及び空気清浄機７１の制御部１３１の一方だけが図８の図表に対応するデータテーブルを保有して、他方との協働により各ＬＥＤを制御しても構わない。
【０１２８】
図８の図表に示すように発光色が緑のＬＥＤ１３３ａは、画像形成装置１００の状態を表示するためのものであり、上記表１のｅ項に対応するデータテーブルの内容として第１表示パターンが設定されていれば、緑のＬＥＤ１３３ａ及びＬＥＤ１３３-1が印刷の実行状態及びスキャナの実行状態を報知するために用いられ、また表１のｅ項に対応するデータテーブルの内容として第２表示パターンが設定されていれば、緑のＬＥＤ１３３ａ及びＬＥＤ１３３-2が待機モード又は省電力モードの状態及び印刷処理モードの状態を報知するために用いられ、更に表１のｅ項に対応するデータテーブルの内容として第３表示パターンが設定されていれば、緑のＬＥＤ１３３ａ及びＬＥＤ１３３-3がファクシミリ受信の状態を報知するために用いられる。
【０１２９】
詳しくは、第１表示パターンは、印刷の実行状態及びスキャナの実行状態のいずれかであることをＬＥＤ１３３-1の点灯により表示し、印刷の実行状態のときにＬＥＤ１３３ａを点灯させ、スキャナの実行状態のときにＬＥＤ１３３ａを点滅させるというパターンである。また、第２表示パターンは、待機モード又は省電力モードの状態及び印刷処理モードの状態のいずれかであることをＬＥＤ１３３-2の点灯により表示し、待機モード又は省電力モードの状態のときにＬＥＤ１３３ａを点灯させ、印刷処理モードの状態のときにＬＥＤ１３３ａを点滅させるというパターンである。更に、第３表示パターンは、ファクシミリ受信の状態であることをＬＥＤ１３３-3の点灯により表示し、受信した画像データの処理のときにＬＥＤ１３３ａを点滅させるというパターンである。
【０１３０】
画像形成装置１００の制御部１１１は、空気清浄機７１の表示部１３３により画像形成装置１００の状態を表示するべく、表１のｅ項に対応するデータテーブルの内容を参照して、第１、第２、及び第３表示パターンのいずれが設定されているかを確認する。そして、第１表示パターンが設定されている場合は、制御部１１１は、図８の図表に対応するデータテーブルを参照して、印刷の実行状態及びスキャナの実行状態のいずれかであることを報知するための第１表示パターンを求め、この第１表示パターンに従ってＬＥＤ１３３-1を点灯させるべく、ＬＥＤ１３３-1の点灯指示を入出力部１１９を通じて空気清浄機７１に通知する。空気清浄機７１の制御部１３１は、ＬＥＤ１３３-1の点灯指示を入出力部１３４を通じて受け取り、表示部１３３のＬＥＤ１３３-1を点灯させる。そして、制御部１１１は、画像形成部１１４及び原稿読取り装置１０１を監視し、画像形成部１１４による印刷の実行状態になったときに第１表示パターンに従って表示部１３３のＬＥＤ１３３ａを点灯させるべく、ＬＥＤ１３３ａの点灯指示を入出力部１１９を通じて空気清浄機７１に通知する。空気清浄機７１の制御部１３１は、ＬＥＤ１３３ａの点灯指示を入出力部１３４を通じて受け取り、表示部１３３のＬＥＤ１３３ａを点灯させる。あるいは、制御部１１１は、原稿読取り装置１０１によるスキャナの実行状態になったときに第１表示パターンに従って表示部１３３のＬＥＤ１３３ａを点滅させるべく、ＬＥＤ１３３ａの点滅指示を空気清浄機７１に出す。空気清浄機７１の制御部１３１は、ＬＥＤ１３３ａの点滅指示を受け取ると、表示部１３３のＬＥＤ１３３ａを点滅させる。
【０１３１】
また、表１のｅ項に対応するデータテーブルに第２表示パターンが設定されている場合は、画像形成装置１００の制御部１１１は、図８の図表に対応するデータテーブルを参照して、待機モード又は省電力モードの状態及び印刷処理モードの状態のいずれかであることを報知するための第２表示パターンを求め、この第２表示パターンに従ってＬＥＤ１３３-2を点灯するべく、ＬＥＤ１３３-2の点灯指示を空気清浄機７１に通知する。空気清浄機７１の制御部１３１は、ＬＥＤ１３３-2の点灯指示を受け取ると、表示部１３３のＬＥＤ１３３-2を点灯させる。そして、制御部１１１は、画像形成装置１００が待機モード又は省電力モードの状態に設定されているときに第２表示パターンに従って表示部１３３のＬＥＤ１３３ａを点灯させるべく、ＬＥＤ１３３ａの点灯指示を空気清浄機７１に出す。空気清浄機７１の制御部１３１は、ＬＥＤ１３３ａの点灯指示を受け取ると、表示部１３３のＬＥＤ１３３ａを点灯させる。あるいは、制御部１１１は、画像形成装置１００が印刷処理モードの状態に設定されているときに第２表示パターンに従って表示部１３３のＬＥＤ１３３ａを点滅させるべく、ＬＥＤ１３３ａの点滅指示を空気清浄機７１に出す。空気清浄機７１の制御部１３１は、ＬＥＤ１３３ａの点滅指示を受け取ると、表示部１３３のＬＥＤ１３３ａを点滅させる。
【０１３２】
更に、表１のｅ項に対応するデータテーブルに第３表示パターンが設定されている場合は、画像形成装置１００の制御部１１１は、図８の図表に対応するデータテーブルを参照して、ファクシミリ受信の状態であることを報知するための第３表示パターンを求め、この第３表示パターンに従ってＬＥＤ１３３-3を点灯するべく、ＬＥＤ１３３-3の点灯指示を空気清浄機７１に通知する。これに応答して空気清浄機７１の制御部１３１は、表示部１３３のＬＥＤ１３３-3を点灯させる。そして、制御部１１１は、ファクシミリ通信部１１５を監視し、ファクシミリ通信部１１５によるファクシミリ受信を待機しているときに第３表示パターンに従って表示部１３３のＬＥＤ１３３ａを点灯させるべく、ＬＥＤ１３３ａの点灯指示を空気清浄機７１に出す。これに応答して空気清浄機７１の制御部１３１は、表示部１３３のＬＥＤ１３３ａを点灯させる。また、制御部１１１は、ファクシミリ通信部１１５によるファクシミリ受信の状態になったときに第３表示パターンに従って表示部１３３のＬＥＤ１３３ａを点滅させるべく、ＬＥＤ１３３ａの点滅指示を空気清浄機７１に出す。これに応答して空気清浄機７１の制御部１３１は、表示部１３３のＬＥＤ１３３ａを点滅させる。
【０１３３】
従って、図６（ａ）の入力設定画面１７１におけるセレクトボックス１７７で第１、第２、及び第３表示パターンのいずれかを選択しておけば、その選択された表示パターンに応じて画像形成装置１００の状態が空気清浄機７１の表示部１３３における各ＬＥＤ１３３-1〜１３３-3の選択的な点灯及びＬＥＤ１３３ａの点滅や点灯により表示される。尚、画像形成装置１００が夜間モードではない他のモードが設定されているときには表示部１１６が停止されていないことから、画像形成装置１００の状態を表示部１１６にも表示する。
【０１３４】
次に、図８の図表に示すように発光色が青のＬＥＤ１３３ｂは、空気清浄機７１の状態を示すものである。青のＬＥＤ１３３ｂが点滅されると、空気清浄機７１が故障した状態であるか又は空気清浄機７１のメンテナンスが必要な状態であり、青のＬＥＤ１３３ｂが点灯されると、空気清浄機７１が空気清浄動作状態にある。
【０１３５】
空気清浄機７１の制御部１３１は、空気清浄機７１内のセンサ（図示せず）の検出出力に基づいて該空気清浄機７１の故障を判定しており、空気清浄機７１の故障を判定すると、図８の図表に対応するデータテーブルを参照して、空気清浄機７１の故障を報知するためのＬＥＤ１３３ｂの表示パターンを求め、ＬＥＤ１３３ｂを点滅させる。あるいは、制御部１３１は、ファン８２ｃのモータ１３２やイオン発生素子８５の駆動時間を累積計時して、この駆動時間に基づいてメンテナンスが必要であるか否かを判定し、この駆動時間が予め設定された一定時間に達すると、図８の図表に対応するデータテーブルを参照して、ＬＥＤ１３３ｂを点滅させる。また、制御部１３１は、ファン８２ｃのモータ１３２やイオン発生素子８５の駆動中に空気清浄動作状態にあると判定すると、図８の図表に対応するデータテーブルを参照して、ＬＥＤ１３３ｂを点灯させる。
【０１３６】
従って、空気清浄機７１の状態が該空気清浄機７１の表示部１３３のＬＥＤ１３３ｂの点滅や点灯により表示される。
【０１３７】
次に、図８の図表から明らかなように発光色が赤のＬＥＤ１３３ｃは、画像形成装置１００の状態を示すものである。赤のＬＥＤ１３３ｃが点滅されると、画像形成装置１００の動作が可能であっても何等かのトラブルが生じた状態であり、赤のＬＥＤ１３３ｃが点灯されると、画像形成装置１００の動作が不可能なトラブルが生じた状態である。画像形成装置１００の動作可能なトラブルとは、例えばトナーニアエンドの状態である。また、画像形成装置１００の動作不可能なトラブルとは、例えばトナーエンドや紙詰まりの状態である。
【０１３８】
画像形成装置１００の制御部１１１は、画像形成装置１００内のセンサ（図示せず）の検出出力に基づいて該画像形成装置１００のトラブルを判定しており、画像形成装置１００の動作可能なトラブルを判定すると、図８の図表に対応するデータテーブルを参照して、画像形成装置１００の動作可能なトラブルを報知するためのＬＥＤ１３３ｃの表示パターンを求め、ＬＥＤ１３３ｃの点滅指示を空気清浄機７１に出す。空気清浄機７１の制御部１３１は、ＬＥＤ１３３ｃの点滅指示を受け取ると、表示部１３３のＬＥＤ１３３ｃを点滅させる。また、制御部１１１は、画像形成装置１００の動作不可能なトラブルを判定すると、図８の図表に対応するデータテーブルを参照して、ＬＥＤ１３３ｃの点灯指示を空気清浄機７１に出す。これに応答して空気清浄機７１の制御部１３１は、表示部１３３のＬＥＤ１３３ｃを点灯させる。
【０１３９】
従って、画像形成装置１００のトナーニアエンド、トナーエンド、紙詰まり等のトラブルが空気清浄機７１の表示部１３３のＬＥＤ１３３ｃの点滅や点灯により表示される。尚、画像形成装置１００が夜間モードではない他のモードが設定されているときには表示部１１６が停止されていないことから、画像形成装置１００のトラブルを表示部１１６にも表示する。
【０１４０】
このように本実施形態では、高所に配置された空気清浄機７１の表示部１３３を用いて、画像形成装置１００で実行されている印刷、スキャナ、ファクシミリ受信等の機能を表示したり、画像形成装置１００で設定されている待機モード、省電力モード、印刷処理モード等を表示したり、画像形成装置１００のトナーニアエンド、トナーエンド、紙詰まり等のトラブルを表示しているので、空気清浄機７１の表示部１３３を遠くから見て、画像形成装置１００の状態を確認することができる。
【０１４１】
また、同時に空気清浄機７１の故障やメンテナンスの必要性をも該空気清浄機７１の表示部１３３に表示しているので、利用者は、空気清浄機７１の表示部１３３を見るだけで、画像形成装置１００及び空気清浄機７１の状態を知ることができ、両者の管理が容易になる。
【０１４２】
以上、本発明の実施形態を詳述したが、本発明は、上記実施形態に限定されるものではなく、本発明の要旨を逸脱しない範疇の設計変更等が施されたものであっても、本発明の範囲に含まれる。
【０１４３】
例えば、空気清浄機７１の表示部１３３のＬＥＤの個数を増減させたり、これらのＬＥＤの点滅、点灯、及び消灯の組み合わせにより報知される情報の種類を増減させてもよい。また、ＬＥＤの代わりに、液晶表示デバイス等を用いても構わない。
【符号の説明】
【０１４４】
１  レーザ露光装置
２  現像装置
３  感光体ドラム
４  クリーナ装置
５  帯電器
８  中間転写ベルト装置
１０  給紙トレイ
１１  ２次転写装置
１２  定着装置
１５  用紙排出トレイ
４２  原稿搬送部
７１  空気清浄機
７２  支柱
８１  本体筐体
８２  ファンユニット
８３  吸入ダクト
８４  吹き出しダクト
８５  イオン発生素子
８６  フィルター
１００  画像形成装置
１０１  原稿読取り装置
１１１、１３１  制御部
１１２  画像データ蓄積部
１１３  画像処理部
１１４  画像形成部
１１５  ファクシミリ通信部
１１６、１３３  表示部
１１７  入力操作部
１１８  バス
１１９、１３４  入出力部
１２１  主電源
１２２  副電源
１３２  モータ
１３５  電源
【図１】
2011027930.tif 000004
【図２】
2011027930.tif 000005
【図３】
2011027930.tif 000006
【図４】
2011027930.tif 000007
【図５】
2011027930.tif 000008
【図６Ａ】
2011027930.tif 000009
【図６Ｂ】
2011027930.tif 000010
【図７】
2011027930.tif 000011
【図８】
2011027930.tif 000012